(57)【要約】  【課題】ポスターを好適に収容してなるポスター収容体を提供する。  【解決手段】ポスター収容体Ａは、収容箱Ｂと、この収容箱Ｂの中に収容されたロール体Ｃとを備えてなる。収容箱Ｂは、ロール体Ｃを収容し得る収容空間を有するとともに上方に開放された開口部を有した収容箱本体１と、この収容箱本体１の開口部を閉塞し得る蓋部材２とを備えている。ロール体Ｃは、同一形状のポスターを複数枚重ね合わせてなるポスター積層体を円筒状に巻回して形成されたポスター円筒体Ｔと、このポスター円筒体Ｔの内周面に添接し得るように当該ポスター円筒体Ｔの内部空間に配設された保形芯材Ｄとを備えている。【選択図】図５
0003215061.tif 000002
【実用新案登録請求の範囲】
【請求項１】
収容箱と、この収容箱の中に収容されたロール体とを備えてなるポスター収容体であって、
前記収容箱が、前記ロール体を収容し得る収容空間を有するとともに上方に開放された開口部を有した収容箱本体と、この収容箱本体の開口部を閉塞し得る蓋部材とを備えたものであり、
前記ロール体が、同一形状のポスターを複数枚重ね合わせてなるポスター積層体を円筒状に巻回して形成されたポスター円筒体と、このポスター円筒体の内周面に添接し得るように当該ポスター円筒体の内部空間に配設された保形芯材とを備えてなるポスター収容体。
【請求項２】
前記収容箱本体が、矩形状をなす底壁と、この底壁の前端縁から立設された矩形状をなす前壁と、前記底壁の後端縁から立設された矩形状をなす後壁と、前記底壁の左右の側端縁から立設された矩形状をなす左右の側壁とを備えたものである請求項１記載のポスター収容体。
【考案の詳細な説明】
【技術分野】
【０００１】
本考案は、収容箱内にポスターを収容したポスター収容体に関する。
【背景技術】
【０００２】
「ポスター」とは、広告または宣伝のために掲示する大型のビラや貼り紙として広く知られたものである。
【０００３】
ところで、複数枚積層されたポスターは、円筒状の容器（紙管など）の中に収容された上で、保管・運搬等されていることが通常である（例えば特許文献１参照）。
【０００４】
このようなものにおいては、円筒状の容器の内周面に、巻回されたポスターが密着してしまい、ポスターを外部に取り出し難いという不具合が生じていた。
【先行技術文献】
【特許文献】
【０００５】
【特許文献１】実開平０５−００６４８号公報
【考案の概要】
【考案が解決しようとする課題】
【０００６】
本考案は、このような課題に着目してなされたものであって、少なくとも、ポスターを好適に収容してなるポスター収容体を提供することにある。
【課題を解決するための手段】
【０００７】
すなわち、本考案は次の構成をなしている。
【０００８】
請求項１に記載の考案は、収容箱と、この収容箱の中に収容されたロール体とを備えてなるポスター収容体であって、前記収容箱が、前記ロール体を収容し得る収容空間を有するとともに上方に開放された開口部を有した収容箱本体と、この収容箱本体の開口部を閉塞し得る蓋部材とを備えたものであり、前記ロール体が、同一形状のポスターを複数枚重ね合わせてなるポスター積層体を円筒状に巻回して形成されたポスター円筒体と、このポスター円筒体の内周面に添接し得るように当該ポスター円筒体の内部空間に配設された保形芯材とを備えてなるポスター収容体である。
【０００９】
このようなものであれば、ポスター円筒体が、その内部空間に配設された保形芯材によって適切な形状が保持された状態で収容箱の中に収容されているものとなるため、ポスターを好適に収容してなるポスター収容体を提供することができるものとなる。
【００１０】
請求項２に記載の考案は、前記収容箱本体が、矩形状をなす底壁と、この底壁の前端縁から立設された矩形状をなす前壁と、前記底壁の後端縁から立設された矩形状をなす後壁と、前記底壁の左右の側端縁から立設された矩形状をなす左右の側壁とを備えたものである請求項１記載のポスター収容体である。
【００１１】
このようなものであれば、収容箱が、ロール体を収容空間に収容しやすいものとなるだけでなく、運送に適した前後・左右・上下の寸法に設定し易いものとなる。
【考案の効果】
【００１２】
以上説明したように本考案によれば、少なくとも、ポスターを好適に収容してなるポスター収容体を提供することができるものとなる。
【図面の簡単な説明】
【００１３】
【図１】本考案の一実施形態を示す斜視図。
【図２】同実施形態におけるポスター積層体を説明するための斜視図。
【図３】同実施形態においてポスター積層体からポスター円筒体が形成される過程を説明するための斜視図。
【図４】同実施形態におけるポスター積層体からポスター円筒体が形成される過程を説明するための斜視図。
【図５】同実施形態における分解斜視図。
【考案を実施するための形態】
【００１４】
以下、本考案の一実施形態を、図１〜５を参照して説明する。
【００１５】
この実施形態は、本考案を複数枚のポスターＰを収容したポスター収容体Ａに適用したものである。
【００１６】
ポスター収容体Ａは、図１及び図５に示すように、直方体の外形をなし開閉可能な蓋部材２を有した収容箱Ｂと、収容箱Ｂの中に収容されたロール体Ｃとを備えている。以下、各構成について説明する。
【００１７】
収容箱Ｂは、組み立て可能な段ボール製のものである。収容箱Ｂは、Ｂ２サイズ（５１５ｍｍ×７２８ｍｍ）のポスターＰを折り曲げることなく、巻回することにより収容可能な大きさに設定されている。収容箱Ｂは、例えば、宅配業者が規定する所定のサイズ（すなわち、高さ寸法、幅寸法、及び、奥行寸法の和が宅配業者指定の設定値以下になるサイズをいう。）に設定されている。なお、収容箱Ｂには、概ね２００枚のＢ２サイズのポスターＰを収容し得るものとなっている。換言すれば、収容箱Ｂは、Ｂ２サイズのポスターＰを約２００枚重ね合わせてなるポスター積層体ＰＳを円筒状に巻回して形成されたポスター円筒体Ｔを無理なく収容し得る収容空間ｈｓを備えている。
【００１８】
収容箱Ｂは、図５に示すように、ロール体Ｃを収容し得る収容空間ｈｓを有するとともに上方に開放された開口部ｋを有した収容箱本体１と、収容箱本体１の開口部ｋを閉塞し得る蓋部材２とを備えている。
【００１９】
収容箱本体１は、横長矩形状をなす底壁１１と、底壁１１の前端縁から立設された横長矩形状の前壁１２と、底壁１１の後端縁から立設された横長矩形状をなす後壁１３と、底壁１１の左右の側端縁から立設された略正方形状の左右の側壁１４とを備えている。
【００２０】
蓋部材２は、後壁１３の上端縁から一体に延設された横長矩形状の部位を有してなるものである。蓋部材２は、収容箱本体１に対して回転可能に構成されている。すなわち、蓋部材２は、収容箱本体１の開口部ｋを開閉可能に構成されている。
【００２１】
ロール体Ｃは、同一形状のポスターＰを複数枚重ね合わせてなるポスター積層体ＰＳを円筒状に巻回して形成されたポスター円筒体Ｔと、ポスター円筒体Ｔの内周面に添接し得るように当該ポスター円筒体Ｔの内部空間ｔｓに配設された保形芯材Ｄとを備えてなる。
【００２２】
ポスター円筒体Ｔは、長方形状をなすポスターＰを複数枚重ね合わせてなるポスター積層体ＰＳ（図２を参照）を種々の方法により巻回することにより形成されたものである。すなわち、ポスター円筒体Ｔは、ポスター積層体ＰＳを変形させて円筒状に保持させたものである。
【００２３】
なお、この実施形態では、ポスター円筒体Ｔは、図３に示すように、円柱状又は円筒状の巻き芯材Ｍを利用して作られている。概略的に説明すれば、まず、図３に示すように、ポスター積層体ＰＳにおける一方の端部上に、円柱状又は円筒状をなした巻き芯材Ｍを載置する。そして、巻き芯材Ｍの外周面にポスター積層体ＰＳを添接させつつ当該巻き芯材Ｍをポスター積層体ＰＳにおける他方の端部側に向かって転動させる。この結果、概略円筒状をなしたポスター円筒体Ｔ（図１及び図５を参照）が形成されることになる。
【００２４】
保形芯材Ｄは、図１及び図５に示すように、ポスター円筒体Ｔの内部空間ｔｓに配設され、当該ポスター円筒体Ｔの形状を保持し得るものである。保形芯材Ｄは、筒状をなすポスター円筒体Ｔの内部に配設され、内周面に添接し得るように当該ポスター円筒体Ｔの内部空間ｔｓに配設されている。保形芯材Ｄは、ポスター円筒体Ｔの形状を保持し得る形態をなしているものである。なお、図示例では、保形芯材Ｄは、発泡スチロール等により作られた円柱状のものを示しているが、このようなものに限られるものではない。つまり、保形芯材Ｄは、ポスター円筒体Ｔの内部空間ｔｓに配設されるものであり、且つ、ポスター円筒体Ｔにおける円筒形状を一定程度保持し得るものであればどのようなものであってもよい。例えば、保形芯材Ｄは、気泡シート等を巻回して作られた円柱状のものであってもよいし、紙や布を円柱状又は球体状に変形させたものであってもよい。保形芯材Ｄは、所定の用に供した後は、他のロール体Ｃを構成するために再利用され得るものとなっている。
【００２５】
ロール体Ｃは、図示しない円筒形状保持手段により、外側から形状が保持されている。なお、円筒形状保持手段は、ポスター円筒体Ｔの外側に配設されるとともに当該ポスター円筒体Ｔの形状（すなわち円筒形状）を保持し得るものであればどのようなものであってもよい。円筒形状保持手段の好適な一例としては、ロール体Ｃにおける外周面の略全域を覆うシート体や、接着テープや紐部材等が挙げられる。
【００２６】
なお、本考案は、以上に詳述した実施形態に限られるものではない。
【００２７】
ポスターは、種々の大きさのものを適用することができるのは言うまでもない。
【００２８】
保形芯材は、単一のものに限られるものではなく、複数のものであってもよい。
【００２９】
その他、各部の具体的構成についても上記実施形態に限られるものではなく、本考案の趣旨を逸脱しない範囲で種々変形が可能である。
【符号の説明】
【００３０】
Ａ…ポスター収容体
Ｂ…収容箱
１…収容箱本体
２…蓋部材
Ｃ…ロール体
Ｄ…保形芯材
Ｔ…ポスター円筒体
【図１】
0003215061.tif 000003
【図２】
0003215061.tif 000004
【図３】
0003215061.tif 000005
【図４】
0003215061.tif 000006
【図５】
0003215061.tif 000007